【手続補正書】
【提出日】平成21年11月27日(2009.11.27)
【手続補正１】
【補正対象書類名】特許請求の範囲
【補正対象項目名】全文
【補正方法】変更
【補正の内容】
【特許請求の範囲】
【請求項１】
互いにデータ通信可能な複数の画像形成装置を含む画像形成システムであって、マスター機となる画像形成装置が備える画像読取手段によって読取られた画像データを、スレーブ機となる他の画像形成装置に送信し、該スレーブ機が備える印刷手段を用いて印刷させるコピーモードを実行可能な画像形成システムにおいて、
前記マスター機は、
前記コピーモードの実行が指示された場合、前記マスター機が備える画像読取手段によって読取られた画像データと前記コピーモードであることを示す情報とを、前記スレーブ機へ送信する送信手段を備え、
前記スレーブ機は、
外部装置から画像データを受信する受信手段と、
前記受信手段によって受信された画像データが、前記コピーモードに基づく画像データであるか否かを判断する判断手段と、
前記判断手段によって前記コピーモードに基づく画像データであると判断されるのに応じて、前記外部装置を、自装置がマスター機となって前記コピーモードを実行する際に用いるスレーブ機として登録する登録手段と、
前記受信手段によって受信された画像データの印刷処理を行う印刷手段と、
を備えることを特徴とする画像形成システム。
【請求項２】
自装置が備える画像読取手段によって読取られた画像データを自装置とは異なる相手機に送信し該相手機が備える印刷手段を用いて印刷させるコピーモードを指定可能な画像形成装置であって、
外部装置から画像データを受信する受信手段と、
前記受信手段によって受信された画像データが、前記コピーモードに基づく画像データであるか否かを判断する判断手段と、
前記判断手段によって前記コピーモードに基づく画像データであると判断されるのに応じて、前記外部装置を、前記画像形成装置が前記コピーモードを実行する際に用いる相手機として登録する登録手段と、
前記受信手段によって受信された画像データの印刷処理を行う印刷手段と、
を備えることを特徴とする画像形成装置。
【請求項３】
前記判断手段によって前記コピーモードに基づく画像データであると判断された場合、前記外部装置が既に前記登録手段により登録されているか否かを判断する第二の判断手段を更に有し、
前記登録手段は、前記第二の判断手段により、既に登録されていると判断されなかった場合に、前記外部装置を前記画像形成装置が前記コピーモードを実行する際の相手機として登録することを特徴とする請求項２記載の画像形成装置。
【請求項４】
前記判断手段によって前記コピーモードに基づく画像データであると判断された場合、前記外部装置を用いた前記コピーモードに基づくコピー処理が、前記画像形成装置が備える画像読取手段と印刷手段を用いたコピー処理と比較して機能が制限されるか否かを判断する第三の判断手段を更に有し、
前記登録手段は、前記第三の判断手段により、機能が制限されると判断されなかった場合に、前記外部装置を前記画像形成装置が前記コピーモードを実行する際の相手機として登録することを特徴とする請求項２又は３記載の画像形成装置。
【請求項５】
前記コピーモードは、前記外部装置が備える画像読取手段によって読取られた画像を、自装置が備える印刷手段と相手機が備える印刷手段との両方を用いて印刷させるコピーモードであることを特徴とする請求項２乃至４の何れか１項に記載の画像形成装置。
【請求項６】
自装置が備える画像読取手段によって読取られた画像データを自装置とは異なる相手機に送信し該相手機が備える印刷手段を用いて印刷させるコピーモードを指定可能な画像形成装置の制御方法であって、
外部装置から画像データを受信する受信ステップと、
前記受信ステップによって受信された画像データが、前記コピーモードに基づく画像データであるか否かを判断する判断ステップと、
前記判断ステップによって前記コピーモードに基づく画像データであると判断されるのに応じて、前記外部装置を、前記画像形成装置が前記コピーモードを実行する際に用いる相手機として登録する登録ステップと、
前記受信ステップによって受信された画像データの印刷処理を行う印刷ステップと、
を備えることを特徴とする制御方法。
【請求項７】
請求項６に記載の制御方法をコンピュータに実行させるためのプログラム。
【手続補正２】
【補正対象書類名】明細書
【補正対象項目名】発明の名称
【補正方法】変更
【補正の内容】
【発明の名称】画像形成システム、画像形成装置及びその制御方法、並びにプログラム
【手続補正３】
【補正対象書類名】明細書
【補正対象項目名】０００１
【補正方法】変更
【補正の内容】
【０００１】
本発明は、互いにデータ通信可能に接続された複数の画像形成装置を有する画像形成システム、画像形成装置及びその制御方法、並びにプログラムに関する。
【手続補正４】
【補正対象書類名】明細書
【補正対象項目名】０００９
【補正方法】変更
【補正の内容】
【０００９】
本発明の目的は、このような問題点を解決し、スレーブ機リストへの装置の登録をより効率的に行うことができる画像形成システム及びその制御方法、並びにプログラムを提供することにある。
【手続補正５】
【補正対象書類名】明細書
【補正対象項目名】００１０
【補正方法】変更
【補正の内容】
【００１０】
上記目的を達成するために、請求項１記載の画像形成システムは、互いにデータ通信可能な複数の画像形成装置を含む画像形成システムであって、マスター機となる画像形成装置が備える画像読取手段によって読取られた画像データを、スレーブ機となる他の画像形成装置に送信し、該スレーブ機が備える印刷手段を用いて印刷させるコピーモードを実行可能な画像形成システムにおいて、前記マスター機は、前記コピーモードの実行が指示された場合、前記マスター機が備える画像読取手段によって読取られた画像データと前記コピーモードであることを示す情報とを、前記スレーブ機へ送信する送信手段を備え、前記スレーブ機は、外部装置から画像データを受信する受信手段と、前記受信手段によって受信された画像データが、前記コピーモードに基づく画像データであるか否かを判断する判断手段と、前記判断手段によって前記コピーモードに基づく画像データであると判断されるのに応じて、前記外部装置を、自装置がマスター機となって前記コピーモードを実行する際に用いるスレーブ機として登録する登録手段と、前記受信手段によって受信された画像データの印刷処理を行う印刷手段とを備えることを特徴とする。
【手続補正６】
【補正対象書類名】明細書
【補正対象項目名】００１１
【補正方法】変更
【補正の内容】
【００１１】
請求項２記載の画像形成装置は、自装置が備える画像読取手段によって読取られた画像データを自装置とは異なる相手機に送信し該相手機が備える印刷手段を用いて印刷させるコピーモードを指定可能な画像形成装置であって、外部装置から画像データを受信する受信手段と、前記受信手段によって受信された画像データが、前記コピーモードに基づく画像データであるか否かを判断する判断手段と、前記判断手段によって前記コピーモードに基づく画像データであると判断されるのに応じて、前記外部装置を、前記画像形成装置が前記コピーモードを実行する際に用いる相手機として登録する登録手段と、前記受信手段によって受信された画像データの印刷処理を行う印刷手段とを備えることを特徴とする。
【手続補正７】
【補正対象書類名】明細書
【補正対象項目名】００１２
【補正方法】変更
【補正の内容】
【００１２】
請求項６記載の画像形成装置の制御方法は、自装置が備える画像読取手段によって読取られた画像データを自装置とは異なる相手機に送信し該相手機が備える印刷手段を用いて印刷させるコピーモードを指定可能な画像形成装置の制御方法であって、外部装置から画像データを受信する受信ステップと、前記受信ステップによって受信された画像データが、前記コピーモードに基づく画像データであるか否かを判断する判断ステップと、前記判断ステップによって前記コピーモードに基づく画像データであると判断されるのに応じて、前記外部装置を、前記画像形成装置が前記コピーモードを実行する際に用いる相手機として登録する登録ステップと、前記受信ステップによって受信された画像データの印刷処理を行う印刷ステップとを備えることを特徴とする。
【手続補正８】
【補正対象書類名】明細書
【補正対象項目名】００１３
【補正方法】変更
【補正の内容】
【００１３】
請求項７記載のプログラムは、上記画像形成装置の制御方法をコンピュータに実行させることを特徴とする。